(57)【要約】【課題】照明角度調整可能なＬＥＤ照明装置の提供。【解決手段】本照明角度調整可能なＬＥＤ照明装置は、ＬＥＤランプ及び調整装置を包含する。該調整装置は固定部、折り曲げ部及び連接部を具え、該固定部は壁面への固定に用いられ、該折り曲げ部は該固定部と該連接部を連結し、該連接部は該ＬＥＤランプを固定するのに用いられ、且つ該連接部は該固定部に対して角度調整でき、これによりＬＥＤランプの照明角度の調整効果を達成する。【選択図】図３
0003158329.tif 000002
【実用新案登録請求の範囲】
【請求項１】
壁面に固定される照明角度調整可能なＬＥＤ照明装置において、
ＬＥＤランプと、
調整装置であって、固定部、折り曲げ部及び連接部を包含し、該固定部は壁面への固定に用いられ、該折り曲げ部は該固定部と該連接部を連結し、該連接部に該ＬＥＤランプが固定され、且つ該連接部は該固定部に対して角度調整できる上記調整装置と、
を包含したことを特徴とする照明角度調整可能なＬＥＤ照明装置。
【請求項２】
請求項１記載の照明角度調整可能なＬＥＤ照明装置において、第１固定部品をさらに包含し、該固定部に第１固定孔が設けられ、該第１固定部品が該第１固定孔にとおされて、該固定部を該壁面に固定することを特徴とする照明角度調整可能なＬＥＤ照明装置。
【請求項３】
請求項１記載の照明角度調整可能なＬＥＤ照明装置において、第２固定部品をさらに包含し、該連接部に第２固定孔が設けられ、該第２固定部品が該第２固定孔にとおされて、該ＬＥＤランプを該連接部に固定することを特徴とする照明角度調整可能なＬＥＤ照明装置。
【請求項４】
請求項１記載の照明角度調整可能なＬＥＤ照明装置において、該調整装置が金属板体とされたことを特徴とする照明角度調整可能なＬＥＤ照明装置。
【請求項５】
壁面に固定される照明角度調整可能なＬＥＤ照明装置において、
二つのＬＥＤランプと、
調整装置であって、固定部、二つの折り曲げ部及び二つの連接部を包含し、該固定部は壁面への固定に用いられ、該二つの折り曲げ部は該固定部の両側に設けられ、該二つの連接部は該二つの折り曲げ部の該固定部と反対の一側に設けられて該連接部に該二つのＬＥＤランプが固定され、該二つの連接部が該固定部に対して角度調整可能とされた、上記調整装置と、を包含したことを特徴とする照明角度調整可能なＬＥＤ照明装置。
【請求項６】
請求項５記載の照明角度調整可能なＬＥＤ照明装置において、第１固定部品をさらに包含し、該固定部に第１固定孔が設けられ、該第１固定部品が該第１固定孔にとおされて、該固定部を該壁面に固定することを特徴とする照明角度調整可能なＬＥＤ照明装置。
【請求項７】
請求項５記載の照明角度調整可能なＬＥＤ照明装置において、二つの第２固定部品をさらに包含し、該二つの連接部にそれぞれ第２固定孔が設けられ、該第２固定部品が該第２固定孔にとおされて、該二つのＬＥＤランプを該二つの連接部に固定することを特徴とする照明角度調整可能なＬＥＤ照明装置。
【考案の詳細な説明】
【技術分野】
【０００１】
本考案は一種の照明角度調整可能なＬＥＤ照明装置に係り、特に、構造が簡単で、スピーディーに且つ簡単に照明角度を調整できるＬＥＤ照明装置に関する。
【背景技術】
【０００２】
蛍光灯は設計上、取り付ける場所、材質、配置される蛍光灯管数などの違いに応じて、異なる構造設計を有する。図１は一般の、２管式蛍光灯の表示図である。図示されるように、周知の２管式蛍光灯１０は長尺状のベース１１を具え、ベース１１に二つの傾斜面１２が形成され、二つの傾斜面１２が一定の夾角を形成し、且つベース１１底部の四つの角部にそれぞれ固定座１３が設けられ、固定座１３は二つずつが対応し、蛍光灯管１４が固定座１３によりベース１１に固定される。
【０００３】
周知の２管式蛍光灯１０は二つの傾斜面１２の設計により、固定座１３を傾斜面１２に設置する時、傾斜面１２により固定座１３を特定の角度に向けて設置し、これにより蛍光灯管１４が固定座１３に取り付けられた時に、蛍光灯管１４がある特定の角度に向けて照射する効果を発生する。
【０００４】
しかし、この周知の２管式蛍光灯１０は、そのベース１１の二つの傾斜面１２により構成される夾角角度が、製造過程において制限される。このため、２管式蛍光灯１０は応用時に、その外形設計の制限を受け、ランプの使用上の不便を形成し、消費者に異なる形状のランプを購入させ交互に利用させることになり、使用上、相当に不便であるのみならず、ランプの取り付けは同じでないため、消費者の取り付け上の面倒を形成した。
【０００５】
このほか、環境保護意識の台頭にともない、蛍光灯管の応用は次第に淘汰されて、寿命が長く、電力消耗の少ないＬＥＤランプに代わられつつある。しかし、ＬＥＤランプは複数のＬＥＤの配列を利用しており、ＬＥＤの条件制限のため、単一方向の発光の効果しかなく、このため、ＬＥＤランプのほとんどは単一方向に照明効果を達成するために設計されている。
【０００６】
言い換えると、もしこのＬＥＤランプを既存の蛍光灯管１４の代わりとし、周知の２管式蛍光灯１０に応用すると、該２管式蛍光灯１０の傾斜面は特定の角度に向いており、応用されるＬＥＤ灯管も単一方向の照射しかできないため、往々にして消費者の需要を満足できず、ＬＥＤランプの使用上の制限を形成する。
【考案の概要】
【考案が解決しようとする課題】
【０００７】
このため、いかに上述の問題を解決し、構造が簡単で且つ十分にスピーディーに、簡易に照明角度調整が行える照明装置を提供するかが、本考案の解決しようとする課題である。
【０００８】
本考案の目的は、構造が簡単で、スピーディーに簡便に照明角度調整できるＬＥＤ照明装置を提供することにある。
【課題を解決するための手段】
【０００９】
上述の効果及び目的を達成するため、本考案の技術特徴は、以下のとおりである。すなわち、本照明角度調整可能なＬＥＤ照明装置は、ＬＥＤランプ及び調整装置を包含する。該調整装置は固定部、折り曲げ部及び連接部を具え、該固定部は壁面への固定に用いられ、該折り曲げ部は該固定部と該連接部を連結し、該連接部は該ＬＥＤランプを固定するのに用いられる。
【考案の効果】
【００１０】
こうして、本考案によると、該連接部は該固定部に対して角度調整でき、これによりＬＥＤランプの照明角度の調整効果を達成する。
【００１１】
本考案のその他の目的、長所及び特色は、以下の好ましい実施例により詳細に説明され並びに図面が参照されることでさらに深い理解が得られるようにする。
【図面の簡単な説明】
【００１２】
【図１】周知の２管式蛍光灯の表示図である。
【図２】本考案第１実施態様の固定時の平面図である。
【図３】本考案第１実施態様の角度調整時の平面図である。
【図４】本考案第２実施態様の平面図である。
【図５】本考案第２実施態様の動作時の平面図である。
【考案を実施するための形態】
【００１３】
以下に図面と実施例を組み合わせて本考案の実施方式を詳細に説明し、これにより本考案がいかなる技術手段を応用して技術問題を解決し並びに技術効果を達成するかの実現過程について十分な理解が得られるようにし、並びにそれに基づいて実施できるようにする。
【００１４】
図２を参照されたい。これは本考案の、第１実施態様の表示図である。図示されるように、本考案の照明角度調整可能なＬＥＤ照明装置は、壁面４０に固定され、それは調整装置２０とＬＥＤランプ３０を包含する。
【００１５】
調整装置２０は金属板体とされ、固定部２１、折り曲げ部２２及び連接部２３を包含する。固定部２１は壁面４０に固定するのに用いられ、固定部２１に少なくとも一つの第１固定孔２４が設けられて、第１固定部品２５が通される。折り曲げ部２２は固定部２１の一端に設けられ、且つ折り曲げ部２２は固定部２１に対してある角度の折り曲げを発生可能である。連接部２３は折り曲げ部２２の固定部２１と反対の一側に設けられ、連接部２３に折り曲げ部２２をとおして固定部２１に対して角度の調整を行わせ、且つ連接部２３に少なくとも一つの第２固定孔２６が設けられ、少なくとも一つの第２固定部品２７を通すのに用いられる。
【００１６】
ＬＥＤランプ３０は第２固定部品２７により連接部２３に固定される。ＬＥＤランプ３０は連接部２３により固定部２１に対して照明角度調整の効果を達成する。
【００１７】
図３は本考案第１実施態様の角度調整時の平面図である。
【００１８】
図示されるように、ＬＥＤランプ３０が調整装置２０を利用して壁面４０に固定される時、本実施例では、該調整装置２０の固定部２１は第１固定部品２５により垂直の壁面４０に固定され、その連接部２３は折り曲げ部２２により固定部２１に対して角度調整の効果を達成する。そのうち、実際の応用状態では、調整装置２０は予め連接部２３を角度調整して定位後に、さらにＬＥＤランプ３０を連接部２３に固定するか、或いは、ＬＥＤランプ３０を連接部２３に固定した後に、さらに角度調整してもよい。
【００１９】
ＬＥＤランプ３０は単方向発光であるため、ＬＥＤランプ３０を折り曲げ部２２により固定部２１に対して角度調整して照明角度調整の効果を達成でき、こうして、使用者がスピーディーにＬＥＤランプ３０の照明角度調整を行って、最良の照明方向とすることができる。
【００２０】
連接部２３は折り曲げ部２２の固定部２１と接続された一側を支点とし、折り曲げ部２２を介して固定部２１を支点とし、角度照明の目的を達成する。これにより、調整装置２０は固定部２１を利用して壁面４０に固定される時、連接部２３が壁面４０に対して角度調整の効果を達成し、ＬＥＤランプ３０が連接部２３に固定される時、連接部２３を介してＬＥＤランプ３０の照明角度を変更して、スピーディーで簡便に照明角度を調整する目的を達成する。
【００２１】
最後に図４から図５に示されるのは本考案の第２実施態様の平面図及び動作時の平面図である。
【００２２】
図示されるように、照明角度調整可能なＬＥＤ照明装置は調整装置２０と二つのＬＥＤランプ３０を包含し、そのうち、調整装置２０はさらに固定部２１、二つの折り曲げ部２２及び二つの連接部２３を包含し、その二つの折り曲げ部２２は固定部２１の二つの対応側に接続され、二つの連接部２３は二つの折り曲げ部２２の固定部２１と反対の一端に接続されている。
【００２３】
ＬＥＤランプ３０が二つの連接部２３にそれぞれ設置され、二つのＬＥＤランプ３０はそれぞれ連接部２３を利用して固定部２１の両側に固定される。こうして、固定部２１の１の両端の連接部２３に設けられたＬＥＤランプ３０が個別に折り曲げ部２２をとおして各自に照明角度調整可能とされ、こうして構造が簡単で、スピーディー且つ簡便に照明角度調整可能なＬＥＤ照明装置とされている。ただし、これらの実施例は本考案の延伸可能な変化を説明するためのものであり、本考案の精神を限定するためのものではない。
【符号の説明】
【００２４】
１０  ２管式蛍光灯                ２０  調整装置
１１  ベース                      ２１  固定部
１２  傾斜面                      ２２  折り曲げ部
１３  固定座                      ２３  連接部
１４  蛍光灯管                    ２４  第１固定孔
２５  第１固定部品                ２６  第２固定孔
２７  第２固定部品                ３０  ＬＥＤランプ
４０  壁面
【図１】
0003158329.tif 000003
【図２】
0003158329.tif 000004
【図３】
0003158329.tif 000005
【図４】
0003158329.tif 000006
【図５】
0003158329.tif 000007